(57)【要約】【課題】オープンショーケースの前面下部に装備した折り畳み式のテーブルについて、その棚板の突出し角度を可変設定して棚上に並べる販促品の展示効果を高めるようにする。【解決手段】本体ケースのフロント壁１ａに、垂下姿勢から庫外前方に向けて突き出す折り畳み可能なテーブル５を装備し、該テーブル５はその棚板５ａの後端部を取付フレーム８にヒンジ結合した上で、棚受け部材を介して棚板５ａを突出し姿勢に支持するようにしたオープンショーケースにおいて、棚板５ａの突出し姿勢を水平，および前傾姿勢に設定する棚角度調整手段を備えるものとし、具体的に棚受け部材はその後端を取付フレーム８に枢支し、先端を棚板５ａに係止して該棚板を突出し姿勢に下支えするステーアーム９とし、該ステーアーム９に対向して棚板５ａの裏面には、ステーアーム９の掛け止め位置をずらして棚板を水平姿勢，ないし前傾姿勢に係止保持するアジャスト部材１０を設ける。【選択図】図１
2013034517.tif 000002
【特許請求の範囲】
【請求項１】
庫内に商品陳列棚を搭載した前面開放形本体ケースの前面下部に、垂下位置から庫外前方に向けて突き出す折り畳み可能なテーブルを装備したオープンショーケースであり、前記テーブルはその棚板の後端部を本体ケースのフロント壁に設けた取付フレームにヒンジ結合した上で、棚受け部材を介してテーブルの棚板を突出し姿勢に支持するようにしたものにおいて、
前記テーブルの棚板突出し姿勢を水平，および前傾姿勢に設定する棚角度調整手段を備えたことを特徴とするオープンショーケース。
【請求項２】
請求項１に記載のオープンショーケースにおいて、棚角度調整手段として、棚受け部材がその後端を取付フレームに枢支し、先端をテーブルの棚板に係止して該棚板を突出し姿勢に下支えするステーアームであり、該ステーアームに対向して棚板の裏面には、前記ステーアームの先端を掛け止めして棚板を水平姿勢，ないし前傾姿勢に対応する棚角度に係止保持するアジャスト部材を設けたことを特徴とするオープンショーケース。
【請求項３】
請求範囲１または２に記載のオープンショーケースにおいて、テーブルの棚板前端に折り畳み式の棚フェンスを設けたことを特徴とするオープンショーケース。
【発明の詳細な説明】
【技術分野】
【０００１】
本発明は、庫内に商品陳列棚を備えた前面開放形本体ケースの前面下部に、庫外前方に向けて突き出す折り畳み式のテーブルを装備したオープンショーケースに関し、詳しくは該テーブルの棚板支持構造に係わる。
【背景技術】
【０００２】
スーパーマーケットなどの店舗に据付けて使用するオープンショーケースでは、販売商品の試食品，商品見本などを並べる販促用の補助棚として、本体ケースの前面下部に庫外の通路側に向けて突き出す折り畳み式のテーブルを装備したオープンショーケースが知られている（例えば特許文献１，特許文献２参照）。
【０００３】
次に、オープンショーケースに装備した前記折り畳み式テーブルの従来構造を図３〜図５に示す。各図において、１は前面開放形の本体ケース、２は上下段に並べて本体ケース１の庫内に架設した商品陳列棚、３は庫内の冷気循環ダクトに配した冷却器（冷凍機の蒸発器）、４は送風ファン、５は本体ケース１の舟底部を構築するフロント壁１ａの前面に設置した先記の折り畳み式テーブル、６はテーブル５の棚板（天板）５ａを突出し位置に支持する左右一対の折り畳み式ブラケット（棚受け部材）である。ここで、前記テーブル５の棚板５ａ，およびブラケット６はその後端が蝶番などを介してフロント壁１ａに設けた取付フレームに折り畳み可能に連結されており、棚板５ａは上下方向に、ブラケット６は左右方向へ回動可能となっている。
【０００４】
上記の構成で、折り畳み式テーブル５を使用しない場合には、図４（ａ）〜（ｃ）で示すように棚板５ａ，ブラケット６を折り畳んで棚板５ａをフロント壁１ａの前面に垂らしておく。
【０００５】
一方、折り畳み式のテーブル５を使用する場合には、図５（ａ）〜（ｃ）で示すように、棚板５ａを上方に引き上げた上で、折り畳まれていたブラケット６を前方に引出して棚板５ａを下支えする。これによりテーブル５の棚板５ａが前方に向けて水平角度に突き出した姿勢で支持される。
【０００６】
そして、この折り畳み式テーブル５の使用状態では、図３のように棚板５ａの上に試食品，商品見本などの販促品７を並べて店内でセールスプロモーションを行う。
【先行技術文献】
【特許文献】
【０００７】
【特許文献１】特開平８−２２４１４７号公報
【特許文献２】特開２０１０−２４６６６０号公報
【発明の概要】
【発明が解決しようとする課題】
【０００８】
先述のように、従来構造の折り畳み式テーブル５は、その突出し状態でブラケット６に支持された棚板５ａの姿勢は水平角度に規定されている。そのために、図３で表すように店内の客はオープンショーケースの前方通路から棚板５ａ上に並べた販促品７を斜め方向から目視することになる。
【０００９】
ところで、テーブル５に並べる販促品７は種類，形状が様々であって、図示のように水平姿勢に突き出た棚板５ａの上に並べて展示されていると、販促品７の形状，種類によってはその内容，表示が斜め前方からでは認知し難くなることがある。このような場合には、販促品７を前傾姿勢に傾けて並べ替えることで客への認知性，アピール性を高めることができる。
【００１０】
そこで、本発明はオープンショーケースの前面下部に装備した販促用の折り畳み式テーブルについて、そのテーブルの棚板上に並べた販促品の展示効果を高めて客への認知性，アピール性向上が図れるように棚支持構造を改良したオープンショーケースを提供することを目的とする。
【課題を解決するための手段】
【００１１】
上記目的を達成するために、本発明によれば、庫内に商品陳列棚を搭載した前面開放形本体ケースの前面下部に、垂下位置から庫外前方に向けて突き出す折り畳み可能なテーブルを装備したオープンショーケースであり、前記テーブルはその棚板の後端部を本体ケースのフロント壁に設けた取付フレームにヒンジ結合した上で、棚受け部材を介してテーブルの棚板を突出し姿勢に支持するようにしたものにおいて、
前記テーブルの棚板突出し姿勢を水平，および前傾姿勢に設定する棚角度調整手段を備えるものとし（請求項１）、具体的には次記のような態様で構成する。
（１）前記の棚角度調整手段として、棚受け部材がその後端を取付フレームに枢支し、先端をテーブルの棚板に係止して該棚板を突出し姿勢に下支えするステーアームであり、該ステーアームに対向して棚板の裏面には、前記ステーアームの先端を掛け止めして棚板を水平姿勢，ないし前傾姿勢に対応する棚角度に保持するアジャスト部材を設ける（請求項２）。
（２）前記テーブルの棚板前端に折り畳み式の棚フェンスを設ける（請求項３）。
【発明の効果】
【００１２】
上記構成によれば、オープンショーケースの前部に備えた折り畳み式テーブルの棚板突出し姿勢を水平，あるいは前傾角度に選択設定することができる。これにより、折り畳み式テーブルを使用して行う店内のセールスプロモーションでこのテーブルの棚板上に並べて展示する販促品をその種類，形状に応じて見易い棚角度に設定することで、販促品の認知性，アピール性を高めてことができる。
【００１３】
また、前記テーブルの棚板前縁に折り畳み式の棚フェンスを設けたことで、前傾姿勢の棚板に並べた販促品が棚から前方に脱落するのを防止し、またテーブルを使用しない場合には棚フェンスが邪魔にならないように折り畳んでおくことができる。
【図面の簡単な説明】
【００１４】
【図１】本発明の実施例による折り畳み式テーブルの構成図であって、（ａ），（ｂ），（ｃ）はそれぞれテーブルの棚板を折り畳み，水平角度，前傾角度にセットした状態の側視図、（ｄ），（ｅ）は（ｂ），（ｃ）図における矢視Ａ部，Ｂ部の拡大図である。
【図２】図１（ｂ）に対応するテーブルの使用状態を下面側から見た外形斜視図である。
【図３】従来構造の折り畳み式テーブルを装備したオープンショーケース全体の構成図である。
【図４】図３における折り畳み式テーブルを折り畳んだ状態を表す図であって、（ａ），（ｂ），（ｃ）はそれぞれ側面図、正面図、および上面図である。
【図５】図３における折り畳み式テーブルの使用状態を表す図であって、（ａ），（ｂ），（ｃ）はそれぞれ側面図、正面図、および上面図である。
【発明を実施するための形態】
【００１５】
以下、本発明の実施の形態を図１，図２に示す実施例に基づいて説明する。なお、実施例の図中で図４，図５に対応する同一部材には同じ符号を付してその説明は省略する。
図示実施例の折り畳み式テーブルは基本的に従来と同様な構造であるが、従来と異なる点はテーブルの使用状態でその棚板の突出し姿勢を水平，ないし前傾姿勢に設定する棚角度調整手段を備えており、以下にその詳細構造を述べる。
【００１６】
すなわち、折り畳み式テーブル５の棚板５ａ（鈑金製）は、その後端部がオープンショーケースのフロント壁１ａの前面に設けた取付フレーム８に対し、その左右両端の上部にヒンジ金具５ｂを介して上下方向へ回動可能に連結されている。
【００１７】
一方、前記棚板５ａを突出し姿勢に下支えする棚受け部材として図示実施例では、図２で示すように金属棒材，ないしパイプ材をＵ字状に曲げ加工してその両端に形成した軸受部９ａを前記取付フレーム８の左右側壁の下部位置にヒンジピンを介して上下方向へ回動可能に枢支したステーアーム９を備えている。そして、このステーアーム９の先端辺部に対向してテーブル５の棚板５ａの裏面には、前記ステーアーム９を掛け止めして棚板５ａを水平姿勢，および前傾姿勢に対応する棚角度位置に係止保持するアジャスト部材１０を設けている。
【００１８】
このアジャスト部材１０は、その左右両端に垂下する側壁を形成して棚板５ａの裏面にスポット溶接した板金部品で、その側壁には図１（ｄ），（ｅ）で示すように前後に位置をずらしてステーアーム９の先端を掛け止めする凹状の係合溝１０ａ，１０ｂが切欠き形成されている。なお、係合溝１０ａは棚板５の水平棚角度に対応し、係合溝１０ｂは棚板５ａの前傾棚角度に対応している。
【００１９】
さらに、テーブル５の棚板５ａにはその前縁に沿って左右に延在する折り畳み式の棚フェンス１１を備えている。この棚フェンス１１は、例えば透明樹脂製で棚板５ａの前端部に回動可能に軸支連結おり、かつその下端側には棚フェンス１１を起立姿勢に位置決めする回り止めリブ１１ａが形成されている。
【００２０】
次に前記構成になる折り畳み式テーブル５の使用手順について説明する。先ず、図１（ａ）はテーブル５を折り畳んだ状態を表しており、取付フレーム８に連結した棚板５ａ，ステーアーム９は、そのヒンジ結合端を上に向けてフロント壁１の前面に垂れ下がっている。また、この状態では棚板５ａの先端に設けた棚フェンス１１は棚板５ａの板面と重なるように図示のように折り畳んでおく。
【００２１】
この状態からテーブル５の棚板５ａを水平姿勢に突き出して使用するには、図１（ｂ），（ｄ）で示すように棚板５ａを上方に持ち上げた状態で、ステーアーム９の先端辺部をアジャスト部材１０の係合溝１０ａに掛け止めする。これにより、棚板５ａは図示の水平姿勢に支持される。なお、棚フェンス１１は起立姿勢に起こして、棚の上に載せた販促品７（図３参照）が前方に脱落するのを防ぐようにしている。
【００２２】
また、テーブル５の棚板５ａを前傾姿勢に突出して支持する場合には、図１（ｃ），（ｅ）で示すように棚板５ａを上方に持ち上げた状態で、ステーアーム９の先端をアジャスト部材１０の係合溝１０ｂに掛け止めする。これにより、棚板５ａは図示のように前傾姿勢に支持される。
【００２３】
上記のように折り畳み式のテーブル５をオープンショーケースのケース前方に突き出して使用する際に、テーブル５の棚板５ａに並べる販促品７（図３参照）の種類，形状に応じて棚板５ａの突出し姿勢を水平，もしくは前傾角度に設定することで、最適な展示効果を発揮して客への認知性，アピール性を高めることかできる。
【００２４】
なお、折り畳み式テーブルの棚板突出し角度の調整手段として、図示実施例ではＵ字状に曲げ加工したステーアーム９の先端部を棚板５ａの裏面に配したあじ１０に掛け止めして水平姿勢，前傾姿勢に係止保持するようにしたが、その調整手段は図示実施例の構造に限定されるものではなく、例えば、ステーアーム９を左右一対のアームに分けた上で、各アームの先端を棚板５の左右側縁に形成した角度調整用の係合溝に直接掛け止めする、あるいはステーアーム９の長さを伸縮調整可能なアームにするなどして棚板５ａの突出し姿勢を水平，ないし前傾角度に可変設定するようにして実施することも可能である。
【符号の説明】
【００２５】
１    オープンショーケースの本体ケース
１ａ  フロント壁
２    庫内の商品陳列棚
５    折り畳み式テーブル
５ａ  テーブルの棚板
５ｂ  ヒンジ金具
８    取付フレーム
９    ステーアーム
９ａ  軸受部
１０    アジャスト部材
１０ａ，１０ｂ  係合溝
１１    折り畳み式棚フェンス
【図１】
2013034517.tif 000003
【図２】
2013034517.tif 000004
【図３】
2013034517.tif 000005
【図４】
2013034517.tif 000006
【図５】
2013034517.tif 000007